(57)【要約】【課題】肌に対する密着性と厚膜に付随した機能性との両立を可能とした肌貼付用フィルムおよび転写シートを提供する。【解決手段】肌貼付用フィルム１０Ａは、０．０５μｍ以上０．３μｍ未満の平均厚さを有する薄膜部２０と、０．３μｍ以上の平均厚さを有する厚膜部２１とを有する。肌貼付用フィルム１０Ａの表面と対向する位置から見て、肌貼付用フィルム１０Ａの外縁に沿った環状領域に仮想的に区画された領域であって、当該環状領域の周方向に沿って並ぶ複数の領域が、薄膜部２０に含まれる。【選択図】図５
2020074847.tif 000002
【特許請求の範囲】
【請求項１】
０．０５μｍ以上０．３μｍ未満の平均厚さを有する薄膜部と、
０．３μｍ以上の平均厚さを有する厚膜部と、を有する肌貼付用フィルムであって、
前記肌貼付用フィルムの表面と対向する位置から見て、
前記肌貼付用フィルムの外縁に沿った環状領域に仮想的に区画された領域であって、当該環状領域の周方向に沿って並ぶ複数の領域が、前記薄膜部に含まれる
肌貼付用フィルム。
【請求項２】
前記肌貼付用フィルムの厚さは、前記薄膜部に含まれる最も薄い部分から、前記厚膜部に含まれる最も厚い部分に向けて、連続的に変化する
請求項１に記載の肌貼付用フィルム。
【請求項３】
前記肌貼付用フィルムの厚さは、前記薄膜部に含まれる最も薄い部分から、前記厚膜部に含まれる最も厚い部分に向けて、多段階的に変化する
請求項１に記載の肌貼付用フィルム。
【請求項４】
前記肌貼付用フィルムの表面と対向する位置から見て、前記薄膜部は、前記肌貼付用フィルムの外縁に沿った環状を有し、前記薄膜部の幅は、１ｍｍ以上である
請求項１に記載の肌貼付用フィルム。
【請求項５】
前記肌貼付用フィルムは、  
前記肌貼付用フィルムの表面と対向する位置から見て、当該肌貼付用フィルムの全体に広がる広域層と、
前記肌貼付用フィルムの表面と対向する位置から見て、当該肌貼付用フィルムの一部に位置する狭域層と、を備え、
前記厚膜部は、前記広域層と前記狭域層とを含む複数の層から構成される
請求項１に記載の肌貼付用フィルム。
【請求項６】
前記広域層と前記狭域層との組成は互いに異なる
請求項５に記載の肌貼付用フィルム。
【請求項７】
前記肌貼付用フィルムは、肌に貼り付けられる第１面と、前記第１面と反対側の面である第２面とを有し、
前記第２面から前記第１面に向かう方向に、前記広域層、前記狭域層がこの順に並ぶ
請求項５または６に記載の肌貼付用フィルム。
【請求項８】
前記肌貼付用フィルムは、肌に貼り付けられる第１面と、前記第１面と反対側の面である第２面とを有し、
前記第１面から前記第２面に向かう方向に、前記広域層、前記狭域層がこの順に並ぶ
請求項５または６に記載の肌貼付用フィルム。
【請求項９】
前記狭域層は、粒子を含む
請求項５〜８のいずれか一項に記載の肌貼付用フィルム。
【請求項１０】
前記狭域層は、当該狭域層が有する２つの面のうち前記広域層から遠い方の面に、凹凸構造を有する
請求項５〜８のいずれか一項に記載の肌貼付用フィルム。
【請求項１１】
前記狭域層は、前記広域層に沿った平面上に離間して並ぶ複数の部分から構成される
請求項５〜８のいずれか一項に記載の肌貼付用フィルム。
【請求項１２】
前記広域層と前記狭域層との間に、アンカー層を備える
請求項５〜８のいずれか一項に記載の肌貼付用フィルム。
【請求項１３】
前記肌貼付用フィルムは、互いに異なる組成を有し、かつ、当該肌貼付用フィルムの広がる方向に沿った１つの平面内において互いに接する複数の部分を備える
請求項１に記載の肌貼付用フィルム。
【請求項１４】
請求項１〜１３のいずれか一項に記載の肌貼付用フィルムと、
前記肌貼付用フィルムを支持する支持基材と、
を備える転写シート。
【発明の詳細な説明】
【技術分野】
【０００１】
本発明は、肌貼付用フィルム、および、肌貼付用フィルムを肌に貼り付けるための転写シートに関する。
【背景技術】
【０００２】
従来から、スキンケアやメイクアップの補助のために肌に貼り付けられるフィルムである肌貼付用フィルムの開発が進められている。例えば、特許文献１には、１０ｎｍ以上５００ｎｍ以下の厚さの薄膜を、肌貼付用フィルムとして利用可能であることが開示されており、実施例として、ヒアルロン酸ナトリウムを担持したポリ乳酸薄膜が記載されている。
【先行技術文献】
【特許文献】
【０００３】
【特許文献１】国際公開第２０１４／０５８０６０号
【発明の概要】
【発明が解決しようとする課題】
【０００４】
肌貼付用フィルムの強度が確保できる範囲で当該フィルムが薄いほど、肌貼付用フィルムは皮膚表面の凹凸であるキメに沿いやすくなるため、肌に対する肌貼付用フィルムの密着性が高められる。一方で、肌貼付用フィルムが厚いほど、スキンケアを目的とする場合に求められる保湿性や紫外線遮断性、メイクアップを目的とする場合に求められる装飾性、および、指や衣服を対象とした擦れに対する耐擦性が向上する。すなわち、薄膜に付随した肌に対する密着性と、厚膜に付随した機能性とは、一方を高くすれば他方が低くなるというトレードオフの関係を有する。
【０００５】
本発明は、肌に対する密着性と厚膜に付随した機能性との両立を可能とした肌貼付用フィルムおよび転写シートを提供することを目的とする。
【課題を解決するための手段】
【０００６】
上記課題を解決する肌貼付用フィルムは、０．０５μｍ以上０．３μｍ未満の平均厚さを有する薄膜部と、０．３μｍ以上の平均厚さを有する厚膜部と、を有する肌貼付用フィルムであって、前記肌貼付用フィルムの表面と対向する位置から見て、前記肌貼付用フィルムの外縁に沿った環状領域に仮想的に区画された領域であって、当該環状領域の周方向に沿って並ぶ複数の領域が、前記薄膜部に含まれる。
【０００７】
上記構成によれば、薄膜部が位置する環状領域、すなわち、肌貼付用フィルムの端部では、当該フィルムが薄いため、肌との密着性が高められる。一方、厚膜部では、保湿性、紫外線遮断性、装飾性、耐擦性といった特性の向上が可能である。したがって、肌貼付用フィルムを肌に貼り付けたときに、当該フィルムが外縁から剥がれることを抑えつつ、厚膜に付随した機能を厚膜部において良好に発現させることができる。すなわち、肌に対する密着性と厚膜に付随した機能性との両立が可能となる。
【０００８】
上記構成において、前記肌貼付用フィルムの厚さは、前記薄膜部に含まれる最も薄い部分から、前記厚膜部に含まれる最も厚い部分に向けて、連続的に変化してもよい。
上記構成によれば、厚さの差に起因した段差が肌貼付用フィルムの表面や裏面に形成されることが抑えられる。したがって、厚さの異なる部分の境界が視認されることが抑えられる。また、上記段差に指等が引っ掛かることに起因して肌貼付用フィルムが破断することが抑えられる。
【０００９】
上記構成において、前記肌貼付用フィルムの厚さは、前記薄膜部に含まれる最も薄い部分から、前記厚膜部に含まれる最も厚い部分に向けて、多段階的に変化してもよい。
上記構成によれば、複数の平坦な層に積層によって肌貼付用フィルムを形成することが可能である。したがって、厚さが連続的に変化する形態と比較して、肌貼付用フィルムの形成が容易である。
【００１０】
上記構成において、前記肌貼付用フィルムの表面と対向する位置から見て、前記薄膜部は、前記肌貼付用フィルムの外縁に沿った環状を有し、前記薄膜部の幅は、１ｍｍ以上であってもよい。
【００１１】
上記構成によれば、肌貼付用フィルムの端部において、その周方向の全域で肌との密着性が高められる。したがって、肌貼付用フィルムを肌に貼り付けた場合に、肌貼付用フィルム１０が剥がれ難くなる。
【００１２】
上記構成において、前記肌貼付用フィルムは、前記肌貼付用フィルムの表面と対向する位置から見て、当該肌貼付用フィルムの全体に広がる広域層と、前記肌貼付用フィルムの表面と対向する位置から見て、当該肌貼付用フィルムの一部に位置する狭域層と、を備え、前記厚膜部は、前記広域層と前記狭域層とを含む複数の層から構成されてもよい。
【００１３】
上記構成によれば、複数の層の積層によって、厚さが部分的に異なる肌貼付用フィルムが容易にかつ的確に実現される。
【００１４】
上記構成において、前記広域層と前記狭域層との組成は互いに異なってもよい。
上記構成によれば、例えば、広域層を、肌と密着する機能に適した材料から構成し、狭域層を、厚膜に付随した機能をより高める材料から構成することができる。したがって、各層の機能をより高めることができる。
【００１５】
上記構成において、前記肌貼付用フィルムは、肌に貼り付けられる第１面と、前記第１面と反対側の面である第２面とを有し、前記第２面から前記第１面に向かう方向に、前記広域層、前記狭域層がこの順に並んでもよい。
【００１６】
上記構成によれば、肌貼付用フィルムが肌に貼り付けられたときに、広域層が狭域層を覆う。したがって、狭域層が広域層によって保護されるため、狭域層が露出されている形態と比較して、指等の接触に起因して広域層と狭域層とが剥離することが抑えられる。
【００１７】
上記構成において、前記肌貼付用フィルムは、肌に貼り付けられる第１面と、前記第１面と反対側の面である第２面とを有し、前記第１面から前記第２面に向かう方向に、前記広域層、前記狭域層がこの順に並んでもよい。
【００１８】
上記構成によれば、肌貼付用フィルムが肌に貼り付けられたときに、広域層の全面が肌に接するため、肌貼付用フィルムと肌との間に隙間が形成されにくい。
【００１９】
上記構成において、前記狭域層は、粒子を含んでもよい。
上記構成によれば、粒子の特性に応じて、肌貼付用フィルムから肌に対して作用する機能を高めることや、こうした機能の多様化が可能である。また、狭域層は厚膜部を構成するため、広域層よりも厚く形成することができる。したがって、広域層に粒子を含有させる場合と比較して、含有可能な粒子の種類や含有量の自由度が高められる。
【００２０】
上記構成において、前記狭域層は、当該狭域層が有する２つの面のうち前記広域層から遠い方の面に、凹凸構造を有してもよい。
上記構成によれば、例えば、凹凸構造に起因した光の散乱によって肌のシミ等を目立ちにくくする効果や、凹凸構造に皮膚を穿刺させて各種の成分を皮内に浸透させる効果を得ることができる。
【００２１】
上記構成において、前記狭域層は、前記広域層に沿った平面上に離間して並ぶ複数の部分から構成されてもよい。
上記構成によれば、厚膜部の肌への追従性が高められるため、厚膜部が位置する部分で肌のツッパリ等の違和感を使用者が覚えることが抑えられる。
【００２２】
上記構成において、前記広域層と前記狭域層との間に、アンカー層を備えてもよい。
上記構成によれば、肌貼付用フィルムを構成する層間の密着性が高められる。
上記構成において、前記肌貼付用フィルムは、互いに異なる組成を有し、かつ、当該肌貼付用フィルムの広がる方向に沿った１つの平面内において互いに接する複数の部分を備えてもよい。
【００２３】
上記構成によれば、互いに異なる材料からなる層が厚さ方向に積層される形態と比較して、肌貼付用フィルムの通気性を高めやすい。したがって、肌貼付用フィルムが貼り付けられている部分に、使用者が閉塞感を感じることが抑えられる。
【００２４】
上記課題を解決する転写シートは、上記肌貼付用フィルムと、前記肌貼付用フィルムを支持する支持基材と、を備える。
上記構成によれば、転写シートの保管時や移動時に、肌貼付用フィルムの変形が抑えられる。また、支持基材に支持されていることにより、肌貼付用フィルムが取り扱いやすくなる。
【発明の効果】
【００２５】
本発明によれば、肌貼付用フィルムにおいて、薄膜に付随した肌に対する密着性と厚膜に付随した機能性との両立ができる。
【図面の簡単な説明】
【００２６】
【図１】肌貼付用フィルムの一実施形態について、肌貼付用フィルムの平面構造の一例を示す図。
【図２】一実施形態の肌貼付用フィルムの平面構造の他の例を示す図。
【図３】一実施形態の肌貼付用フィルムの平面構造の他の例を示す図。
【図４】一実施形態の肌貼付用フィルムについて、膜厚の測定対象領域の一例を示す図。
【図５】第１形態の転写シートの断面構造を示す図。
【図６】一実施形態の転写シートを用いて肌貼付用フィルムを肌に転写する方法を示す図であって、肌に化粧料を塗布した状態を示す図。
【図７】一実施形態の転写シートを用いて肌貼付用フィルムを肌に転写する方法を示す図であって、肌に転写シートを貼り付ける工程を示す図。
【図８】一実施形態の転写シートを用いて肌貼付用フィルムを肌に転写する方法を示す図であって、肌に貼り付けられた肌貼付用フィルムを示す図。
【図９】第２形態の肌貼付用フィルムの断面構造を示す図。
【図１０】第３形態の肌貼付用フィルムの断面構造を示す図。
【図１１】第４形態の肌貼付用フィルムの断面構造を示す図。
【図１２】第５形態の肌貼付用フィルムの断面構造を示す図。
【図１３】第６形態の肌貼付用フィルムの断面構造を示す図。
【図１４】第７形態の肌貼付用フィルムの断面構造を示す図。
【図１５】第８形態の肌貼付用フィルムの断面構造を示す図。
【図１６】第９形態の肌貼付用フィルムの断面構造を示す図。
【図１７】第１０形態の肌貼付用フィルムの断面構造を示す図。
【図１８】第１１形態の肌貼付用フィルムの断面構造を示す図。
【図１９】第１２形態の肌貼付用フィルムの断面構造を示す図。
【図２０】第１３形態の肌貼付用フィルムの断面構造を示す図。
【発明を実施するための形態】
【００２７】
図面を参照して、肌貼付用フィルム、および、転写シートの一実施形態を説明する。
［肌貼付用フィルムの概略構成］
図１が示すように、肌貼付用フィルム１０の表面と対向する位置から見た平面視において、肌貼付用フィルム１０は、肌貼付用フィルム１０の外縁に沿った環状領域ＯＲと、環状領域ＯＲの内側に位置する中央領域ＣＲとを有している。そして、肌貼付用フィルム１０は、主として環状領域ＯＲに位置する薄膜部２０と、主として中央領域ＣＲに位置する厚膜部２１とを備えている。図１〜図４においては、薄膜部２０の位置する部分にドットを付して示している。
【００２８】
環状領域ＯＲは、上記平面視にて一定の幅を有する帯状に延びる閉環状の領域である。肌貼付用フィルム１０の外縁は、環状領域ＯＲの外縁を構成する。中央領域ＣＲは、上記平面視における肌貼付用フィルム１０の形状に対応する図形の重心Ｅを含む。
【００２９】
環状領域ＯＲは、例えば、３ｍｍの幅を有する領域である。あるいは、環状領域ＯＲは、上記平面視において、肌貼付用フィルム１０の総面積に対して２０％の面積を有する領域である。中央領域ＣＲは、例えば、上記重心Ｅを中心に１０ｍｍの半径を有する円形の領域である。
【００３０】
上記平面視における肌貼付用フィルム１０の形状は特に限定されず、肌貼付用フィルム１０は、矩形等の多角形形状であってもよいし、円形状や楕円形状であってもよいし、こうした図形以外の直線や曲線で囲まれる形状であってもよい。
【００３１】
薄膜部２０は、０．０５μｍ以上０．３μｍ未満の平均厚さを有し、厚膜部２１は、０．３μｍ以上の平均厚さを有する。薄膜部２０の最大厚さは、厚膜部２１の最大厚さよりも小さい。上記平均厚さは、複数の測定点で測定された肌貼付用フィルム１０の厚さの平均値である。測定点は、例えば、１０ｃｍ２につき５個以上の割合で設けられる。
【００３２】
薄膜部２０は、環状領域ＯＲ内でその周方向に沿って間欠的に並ぶ複数の領域が薄膜部２０に含まれるように配置されていればよい。
例えば、図１が示すように、環状領域ＯＲの全体が薄膜部２０であって、環状領域ＯＲの内側の領域の全体が厚膜部２１であってもよい。あるいは、図２が示すように、環状領域ＯＲの全体が薄膜部２０であって、かつ、薄膜部２０が環状領域ＯＲの径方向に沿って環状領域ＯＲの内側まで広がっていてもよい。そして、薄膜部２０の内側に厚膜部２１が位置してもよい。あるいは、図３が示すように、環状領域ＯＲに、環状領域ＯＲの周方向に沿って間欠的に並ぶ複数の薄膜部２０が位置し、薄膜部２０以外の部分が厚膜部２１であってもよい。この場合、環状領域ＯＲの一部に厚膜部２１が位置する。
【００３３】
上述のように、環状領域ＯＲ内でその周方向に沿って間欠的に並ぶ領域である対象領域ＴＳが薄膜部２０に含まれることは、対象領域ＴＳにて測定された肌貼付用フィルム１０の膜厚の平均値が０．０５μｍ以上０．３μｍ未満であることを意味する。
【００３４】
図４が示すように、対象領域ＴＳは、環状領域ＯＲに仮想的に区画される領域であって、環状領域ＯＲの幅と同一の直径を有し、環状領域ＯＲにおける幅方向の中点を中心として設定される円形領域である。１つの対象領域ＴＳ内に、３個の測定点が設定される。各測定点での厚さは、例えば、光学式の膜厚計を用いて測定される。
【００３５】
複数の対象領域ＴＳは、環状領域ＯＲ内で均等に分散していることが好ましい。例えば、図４が示すように、上記平面視にて肌貼付用フィルム１０が内接する最小の矩形を仮想的に配置したとき、当該矩形の対角線Ａ１，Ａ２が環状領域ＯＲと重なる部分である４箇所と、当該矩形において向かい合う辺の中点同士を結ぶ直線Ａ３，Ａ４が環状領域ＯＲと重なる部分である４箇所との、合わせて８箇所に対象領域ＴＳを設定することが好ましい。
【００３６】
また、厚膜部２１は、少なくともその一部が環状領域ＯＲの内側に位置していればよいが、中央領域ＣＲを含む領域に位置することが好ましい。すなわち、中央領域ＣＲにて測定された肌貼付用フィルム１０の膜厚の平均値が０．３μｍ以上であればよい。中央領域ＣＲを、上記重心Ｅを中心とする半径が１０ｍｍの円形領域とするとき、中央領域ＣＲ内に３個の測定点が設定される。
本実施形態の肌貼付用フィルム１０によれば、薄膜部２０においては、その平均厚さが０．３μｍ未満であるため、肌のキメに対する追従性が高められる結果、肌に対する良好な密着性が得られる。一方で、薄膜部２０の平均厚さが０．０５μｍ以上であるため、薄さを確保しつつも薄膜部２０の強度が過度に低くなることが抑えられる。
【００３７】
薄膜部２０が位置する対象領域ＴＳは、肌貼付用フィルム１０の端部に位置する環状領域ＯＲに含まれる。それゆえ、肌貼付用フィルム１０の端部において、肌に対する密着性を高めることができる。一般に、肌貼付用フィルムが肌に貼られている状態においては、肌貼付用フィルムはその端部から剥がれやすい。これに対し、本実施形態の肌貼付用フィルム１０では、端部にて肌との密着性が高められているため、肌貼付用フィルム１０の全域で、当該フィルムが肌から剥がれることを抑えることができる。
【００３８】
肌貼付用フィルム１０の端部における肌との密着性をより高めるためには、環状領域ＯＲの全体が薄膜部２０であることが好ましい。この場合、上記密着性の向上のためには、上記平面視にて環状を有する薄膜部２０の幅は、１ｍｍ以上であることが好ましい。また、図３のように環状領域ＯＲにおいて複数の薄膜部２０が間欠的に並ぶ場合には、複数の薄膜部２０が環状領域ＯＲ内で均等に分散していることが好ましい。上述のように、環状領域ＯＲ内で均等に分散している複数の対象領域ＴＳが薄膜部２０に含まれる構成であれば、肌貼付用フィルム１０の端部における肌との密着性が、当該端部の周方向の広い範囲で高められるため、肌貼付用フィルム１０が肌からより剥がれ難くなる。
【００３９】
一方、厚膜部２１の平均厚さは０．３μｍ以上であるため、厚膜部２１では、肌貼付用フィルム１０における保湿性、紫外線遮断性、および、指や衣服に対する耐擦性の各々が良好に得られる。また、メイクアップの補助を目的として、肌貼付用フィルム１０が着色されている場合には、肌貼付用フィルム１０による装飾性も良好に得られる。これらの機能性の更なる向上のためには、厚膜部２１の平均厚さは、薄膜部２０の平均厚さの２倍以上であることが好ましい。また、使用者に肌貼付用フィルム１０の貼り付けに起因した違和感が生じることを抑える観点では、厚膜部２１の平均厚さは、５．０μｍ以下であることが好ましい。
【００４０】
また、上記機能性をより広範囲で得るためには、厚膜部２１が位置する領域は、上記重心Ｅを中心とする直径３ｍｍの円形領域よりも大きいことが好ましい。
【００４１】
［第１形態］
以下、上述した肌貼付用フィルム１０、および、肌貼付用フィルム１０を備える転写シートの具体的な構造の例として、第１形態〜第１３形態を順に説明する。なお、図面においては、肌貼付用フィルム１０の厚さを誇張して示している。
【００４２】
図５が示す第１形態の肌貼付用フィルム１０Ａは、単一の層から構成されており、薄膜部２０と厚膜部２１とは同一の材料から構成されている。
肌貼付用フィルム１０Ａを構成する材料は、当該フィルムが汗で溶解し難いように耐水性を有するとともに、毒性、皮膚刺激性、および、皮膚感作性の低い樹脂であることが好ましい。例えば、肌貼付用フィルム１０Ａの材料は、ポリ乳酸、ポリグリコール酸、ポリカプロラクトン等のエステル樹脂およびそれらの共重合樹脂である。また、肌貼付用フィルム１０Ａの材料には、化粧品の皮膜形成剤として使用される樹脂を用いてもよく、こうした樹脂としては、例えば、アクリル樹脂やシリコーンおよびそれらの共重合樹脂、酢酸セルロース、酢酸プロピオン酸セルロース、酢酸酪酸セルロース等のセルロース誘導体が挙げられる。また、肌貼付用フィルム１０Ａの材料には、医療用品の材料としての使用実績が高い樹脂である、ポリカーボネート、シクロオレフィンコポリマー、スチレンブタジエン系エラストマー、ポリイミドを用いてもよい。
【００４３】
肌貼付用フィルム１０Ａは、当該フィルムにおける機能を高める、もしくは、当該フィルムに機能を付加する機能性物質を含有していてもよい。例えば、肌貼付用フィルム１０Ａは、保湿効果を有するヒアルロン酸、コラーゲン、セラミド、プルラン、サクラン等を含有してもよい。こうした構成によれば、肌貼付用フィルム１０Ａが有する肌の保湿機能が高められる。
【００４４】
また例えば、肌貼付用フィルム１０Ａが紫外線吸収剤や紫外線散乱剤を含有している構成であれば、肌貼付用フィルム１０Ａにおける紫外線遮断機能が高められる。紫外線吸収剤としては、例えば、メトキシケイヒ酸オクチル、ジメトキシベンジリデンジオキソイミダゾリジンプロピオン酸オクチル、ジエチルアミノヒドロキシベンゾイル安息香酸ヘキシル、ｔ−ブチルメトキシジベンゾイルメタン、オクチルトリアゾン、パラメトキシケイ皮酸２−エチルヘキシルを用いることが可能であり、紫外線散乱剤としては、例えば、酸化チタンや酸化亜鉛を用いることができる。
【００４５】
また例えば、肌貼付用フィルム１０Ａに、シミ等を隠すコンシーラーとしての機能のような装飾機能を付加する場合には、肌貼付用フィルム１０Ａは、着色顔料や無機顔料を含有していればよい。
【００４６】
また、肌貼付用フィルム１０Ａは、美容成分を含んでいてもよい。美容成分としては、ビタミンＣやその誘導体、コウジ酸やレチノイン酸およびその誘導体、ハイドロキノン等の美白成分、ビタミンＡやその誘導体、αリボ酸、アデノシン、α−ヒドロキシ酸等の抗シワ成分が挙げられる。また、肌貼付用フィルム１０Ａは、薬効成分として、サリチル酸等のニキビ治療成分や、グリチルレチン酸（塩）等の抗炎症成分を含んでいてもよい。さらに、肌貼付用フィルム１０Ａは、安定剤として、ＢＨＴやビタミンＥおよびその誘導体である酢酸トコフェロール等を含有していてもよい。
【００４７】
肌貼付用フィルム１０Ａは、第１面１１Ｆと、第１面１１Ｆとは反対側の面である第２面１１Ｒとを有している。第１面１１Ｆは、肌貼付用フィルム１０Ａの表面を構成し、肌に貼り付けられる。第２面１１Ｒは、肌貼付用フィルム１０Ａが肌に貼り付けられたとき、外気に曝される。
【００４８】
図４においては、第１面１１Ｆが平坦であって、第２面１１Ｒは、薄膜部２０と厚膜部２１との厚さの違いに起因した凹凸を有している。これに限らず、第２面１１Ｒが平坦であって、第１面１１Ｆが上記凹凸を有していてもよいし、第１面１１Ｆと第２面１１Ｒとの双方が上記凹凸を有していてもよい。なお、上記凹凸に指や衣服が引っ掛かって肌貼付用フィルム１０Ａが破断することを抑えられる観点では、第２面１１Ｒは平坦である方が好ましい。
【００４９】
第１形態の肌貼付用フィルム１０Ａにおいて、薄膜部２０はほぼ一様な厚さを有し、厚膜部２１もほぼ一様な厚さを有する。薄膜部２０と厚膜部２１との境界の部分で、肌貼付用フィルム１０Ａの厚さは徐々に変化してもよいし、二値的に変化してもよい。言い換えれば、薄膜部２０と厚膜部２１との境界の部分に形成される側面１１Ｓは、肌貼付用フィルム１０Ａの厚さ方向に対して傾斜していてもよいし、当該厚さ方向に沿って延びていてもよい。側面１１Ｓに指等が引っ掛かって肌貼付用フィルム１０Ａが破断することを抑えられる観点では、側面１１Ｓは傾斜している方が好ましい。図５では、側面１１Ｓが上記厚さ方向に対して傾斜している形態を例示している。
【００５０】
第１形態の転写シート３０Ａは、肌貼付用フィルム１０Ａと、肌貼付用フィルム１０Ａを支持する支持基材３１とを備えている。支持基材３１の厚さは、例えば、５μｍ以上５００μｍ以下の平均厚さを有する。支持基材３１は、転写シート３０Ａの保管時や、肌貼付用フィルム１０Ａを貼り付けの対象部位まで移動させるときに、肌貼付用フィルム１０Ａの変形を抑える機能を有する。支持基材３１に支持されていることにより、肌貼付用フィルム１０Ａが取り扱いやすくなる。
【００５１】
支持基材３１は、肌貼付用フィルム１０Ａの第２面１１Ｒを支持している。第２面１１Ｒが凹凸を有する場合、支持基材３１における肌貼付用フィルム１０Ａと接する面は、平坦であってもよいし、上記凹凸に沿った表面形状を有していてもよい。図５では、支持基材３１における肌貼付用フィルム１０Ａと接する面が、第２面１１Ｒの凹凸に沿った表面形状を有する形態、すなわち、第２面１１Ｒの凸部に沿って窪む凹部を有する形態を例示している。言い換えれば、肌貼付用フィルム１０Ａの凸部が支持基材３１に埋まっている。
【００５２】
また、図５においては、支持基材３１が、肌貼付用フィルム１０Ａの第２面１１Ｒの外側まで広がっている形態を例示している。すなわち、肌貼付用フィルム１０Ａの第１面１１Ｆと対向する位置から見て、支持基材３１は肌貼付用フィルム１０Ａよりも大きく、支持基材３１の外縁の内側に肌貼付用フィルム１０Ａの外縁が位置している。これに限らず、第１面１１Ｆと対向する位置から見て、支持基材３１と肌貼付用フィルム１０Ａとの形状が一致し、支持基材３１の外縁と肌貼付用フィルム１０Ａの外縁とが重なっていてもよい。
【００５３】
支持基材３１としては、例えば、ポリエチレンテレフタレート、ポリエチレンナフタレート、ポリエチレン、ポリプロピレン、シクロオレフィンポリマー、シクロオレフィンコポリマー、ナイロン等からなるフィルム、不織布、紙等が好適に用いられる。支持基材３１は、こうした材料からなる層の表面に、肌貼付用フィルム１０Ａから支持基材３１を剥離しやすくするための層として、シリコーン、フッ素樹脂、オレフィン、ワックス、皮膜形成材、水溶性樹脂等から構成される層を備えていてもよい。特に、シリコーンやオレフィンのような離型性樹脂からなる層を表面に有する支持基材３１、あるいは、不織布や紙のように水等の液体によって容易に膨潤して肌貼付用フィルム１０Ａからの離型性が高まる支持基材３１は、肌貼付用フィルム１０Ａからの剥離が容易であるため好ましい。なお、肌貼付用フィルム１０Ａと支持基材３１とは、弱粘着剤や弱接着剤を用いて剥離可能に固定されていてもよい。また、肌貼付用フィルム１０Ａと支持基材３１との固定のために、これらの加熱および加圧が行われてもよい。
【００５４】
なお、転写シート３０Ａは、肌貼付用フィルム１０Ａの第１面１１Ｆを覆う保護層を備えていてもよい。保護層は、第１面１１Ｆを保護する機能を有する。保護層は、例えば、支持基材３１の材料として例示した上述の材料から構成されればよい。保護層と支持基材３１とは、同一の材料から構成されてもよいし、互いに異なる材料から構成されてもよい。
【００５５】
第１形態の転写シート３０Ａを例に、転写シート３０Ａを用いた肌貼付用フィルム１０Ａの貼付方法を説明する。以下では、例として、化粧料の塗布された肌に肌貼付用フィルム１０Ａを貼り付ける場合について説明する。なお、以下の肌貼付用フィルム１０Ａの貼付方法は、第２形態以降の肌貼付用フィルム１０を用いる場合にも共通する。
【００５６】
図６が示すように、まず、肌ＳＫに、化粧水等の化粧料５０が塗布される。化粧料５０に代えて、水が塗布されてもよい。
図７が示すように、続いて、肌貼付用フィルム１０Ａの第１面１１Ｆが、化粧料５０の塗布された肌ＳＫに接するように、転写シート３０Ａが肌ＳＫに押し当てられる。そして、支持基材３１が肌貼付用フィルム１０Ａから剥離される。
【００５７】
これにより、図８が示すように、肌貼付用フィルム１０Ａが転写シート３０Ａから肌ＳＫに転写されて、肌ＳＫに肌貼付用フィルム１０Ａが貼り付けられる。ここで、肌貼付用フィルム１０Ａの端部には薄膜部２０が位置する。そして、薄膜部２０は極めて薄いため、薄膜部２０は、肌ＳＫの凹凸に追従して肌ＳＫに密着する。薄膜部２０は、肌ＳＫに対して、自然に剥がれることがない程度の密着力を有する。厚膜部２１は、薄膜部２０ほど肌ＳＫの凹凸に追従していないが、肌貼付用フィルム１０Ａが薄膜部２０の位置する端部にて肌ＳＫに密着する結果、肌貼付用フィルム１０Ａの全体が肌ＳＫ上に保持される。
【００５８】
肌貼付用フィルム１０Ａが肌ＳＫを覆うことによって、皮脂や汗の蒸散が抑制されるため、保湿効果が得られる。また、肌ＳＫが、有害な菌や物質と接触することを抑えることもできる。肌貼付用フィルム１０Ａが顔料を含有していれば、装飾効果が得られる。このように、肌貼付用フィルム１０Ａは、スキンケアやメイクアップを補助する機能を有する。
【００５９】
なお、肌貼付用フィルム１０Ａは、上述のように化粧料５０が塗布された肌ＳＫに対して化粧料５０の上から貼り付けられてもよいし、化粧料５０が塗布されていない肌ＳＫに貼り付けられてもよい。また、肌貼付用フィルム１０Ａが肌ＳＫに貼り付けられた後に、当該フィルムの上からファンデーション等の化粧料が塗布されてもよい。
【００６０】
［第２形態］
第２形態の肌貼付用フィルム１０Ｂおよび転写シート３０Ｂについて、第１形態との相違点を中心に説明する。なお、第１形態と同様の構成については同じ符号を付してその説明を省略する。
【００６１】
図９が示すように、第２形態の肌貼付用フィルム１０Ｂは、二層構造を有し、広域層１２と狭域層１３とを備えている。肌貼付用フィルム１０Ｂの第１面１１Ｆと対向する位置から見て、広域層１２は、肌貼付用フィルム１０Ｂの全域に位置し、狭域層１３は肌貼付用フィルム１０Ｂの一部に位置する。広域層１２は支持基材３１に接し、狭域層１３は、広域層１２に対して、支持基材３１と反対側に位置する。換言すれば、肌貼付用フィルム１０Ｂの第２面１１Ｒから第１面１１Ｆに向かう方向に、広域層１２、狭域層１３の順に並んでいる。第２面１１Ｒは、その全体が広域層１２から構成される。第１面１１Ｆは、その一部が狭域層１３から構成され、残部が広域層１２から構成される。
【００６２】
例えば、広域層１２の厚さはほぼ一定であり、狭域層１３の厚さはほぼ一定である。そして、広域層１２上に狭域層１３が部分的に積層されていることによって、肌貼付用フィルム１０Ｂの厚さの差が形成されている。すなわち、広域層１２に狭域層１３が積層されていない部分が薄膜部２０であり、薄膜部２０は広域層１２のみから構成される。一方、広域層１２に狭域層１３が積層されている部分が厚膜部２１であり、厚膜部２１は、広域層１２と狭域層１３とから構成される。広域層１２の厚さと狭域層１３の厚さとの関係は特に限定されないが、狭域層１３の平均厚さが、広域層１２の平均厚さよりも大きい形態であると、薄膜部２０と厚膜部２１との平均厚さの差を大きく形成しやすい。
【００６３】
狭域層１３の端面１３Ｓは、肌貼付用フィルム１０Ｂの厚さ方向に対して傾斜していてもよいし、当該厚さ方向に沿って延びていてもよい。図９では、端面１３Ｓが上記厚さ方向に対して傾斜している形態を例示している。
【００６４】
転写シート３０Ｂは、肌貼付用フィルム１０Ｂと、第１形態と同様の構成を有する支持基材３１とを備えている。転写シート３０Ｂから肌貼付用フィルム１０Ｂが肌に転写されると、広域層１２に狭域層１３が積層されていない部分、すなわち薄膜部２０では、広域層１２が肌に接する。このように、薄膜部２０において、広域層１２は肌に密着する機能を有する。一方、広域層１２に狭域層１３が積層されている部分、すなわち厚膜部２１では、狭域層１３が肌に接し、狭域層１３上を広域層１２が覆う。このように、厚膜部２１において、広域層１２は狭域層１３を保護する機能を有する。
【００６５】
広域層１２と狭域層１３との各々を構成する材料としては、第１形態の肌貼付用フィルム１０Ａの材料として例示した材料が用いられる。広域層１２の組成と狭域層１３の組成とは、同一であってもよいし、互いに異なっていてもよい。上述のように、狭域層１３は、厚膜部２１を構成して肌に接するため、厚膜に付随する機能性をより高める材料から構成されていることが好ましい。また、広域層１２は、肌との密着、あるいは、狭域層１３の保護という機能に適した材料から構成されていることが好ましい。例えば、肌の保湿を主目的として肌貼付用フィルム１０Ｂが用いられる場合、狭域層１３は、保湿効果を有する樹脂や機能性物質を含み、広域層１２は、ポリ乳酸やそのコポリマーを含むことが好ましい。
なお、広域層１２および狭域層１３の各々の厚さは一定でなくてもよい。そして、薄膜部２０と厚膜部２１との双方が、広域層１２と狭域層１３とから構成されていてもよい。
【００６６】
［第３形態］
第３形態の肌貼付用フィルム１０Ｃおよび転写シート３０Ｃについて、第２形態との相違点を中心に説明する。なお、第２形態と同様の構成については同じ符号を付してその説明を省略する。
【００６７】
図１０が示すように、第２形態と比較して、第３形態の肌貼付用フィルム１０Ｃでは、広域層１２と狭域層１３との積層順序が逆になっている。すなわち、広域層１２に対して、支持基材３１の位置する側に、狭域層１３が位置する。換言すれば、肌貼付用フィルム１０Ｃの第１面１１Ｆから第２面１１Ｒに向かう方向に、広域層１２、狭域層１３の順に並んでいる。
【００６８】
第１面１１Ｆと対向する位置から見て、広域層１２は肌貼付用フィルム１０Ｃの全体に広がり、狭域層１３は肌貼付用フィルム１０Ｃの一部に位置する。言い換えれば、狭域層１３は支持基材３１に接し、広域層１２は、支持基材３１上で狭域層１３とその外側とを覆っている。第２面１１Ｒは、その一部が狭域層１３から構成され、残部が広域層１２から構成される。第１面１１Ｆは、その全体が、広域層１２から構成される。
【００６９】
例えば、広域層１２の厚さはほぼ一定であり、狭域層１３の厚さはほぼ一定である。そして、広域層１２と狭域層１３とが部分的に積層されていることによって、肌貼付用フィルム１０Ｃの厚さの差が形成されている。すなわち、肌貼付用フィルム１０Ｃのなかで狭域層１３が配置されず広域層１２のみからなる部分が薄膜部２０であり、広域層１２と狭域層１３とが積層されている部分が厚膜部２１である。広域層１２の厚さと狭域層１３の厚さとの関係は特に限定されないが、狭域層１３の平均厚さが、広域層１２の平均厚さよりも大きい形態であると、薄膜部２０と厚膜部２１との平均厚さの差を大きく形成しやすい。
【００７０】
狭域層１３の端面１３Ｓは、肌貼付用フィルム１０Ｃの厚さ方向に対して傾斜していてもよいし、当該厚さ方向に沿って延びていてもよい。図１０では、端面１３Ｓが上記厚さ方向に沿って延びている形態を例示している。
【００７１】
転写シート３０Ｃは、肌貼付用フィルム１０Ｃと、第１形態と同様の構成を有する支持基材３１とを備えている。肌貼付用フィルム１０Ｃの第２面１１Ｒのうち、広域層１２が構成する部分では、支持基材３１は広域層１２と接し、狭域層１３が構成する部分では、支持基材３１は狭域層１３と接している。なお、支持基材３１は第２面１１Ｒの全面と接していなくてもよい。また、図１０では、狭域層１３が配置されている領域の周囲で、肌貼付用フィルム１０Ｃと支持基材３１との間に隙間が形成されている形態を例示しているが、こうした隙間は形成されていなくてもよい。なお、肌貼付用フィルム１０Ｃの厚さは、膜が実在する部分での第１面１１Ｆと第２面１１Ｒとの間の長さである。
【００７２】
第３形態の肌貼付用フィルム１０Ｃでは、広域層１２は、薄膜部２０において肌に密着する機能を有する。広域層１２と狭域層１３との各々を構成する材料としては、第１形態の肌貼付用フィルム１０Ａの材料として例示した材料が用いられる。広域層１２の組成と狭域層１３の組成とは、同一であってもよいし、互いに異なっていてもよい。上述のように、狭域層１３は、厚膜部２１を構成するため、厚膜に付随する機能性をより高める材料から構成されていることが好ましい。また、広域層１２は、肌との密着という機能に適した材料から構成されていることが好ましい。
なお、広域層１２および狭域層１３の各々の厚さは一定でなくてもよい。そして、薄膜部２０と厚膜部２１との双方が、広域層１２と狭域層１３とから構成されていてもよい。
【００７３】
［第４形態］
第４形態の肌貼付用フィルム１０Ｄおよび転写シート３０Ｄについて、第２形態との相違点を中心に説明する。なお、第２形態と同様の構成については同じ符号を付してその説明を省略する。
【００７４】
図１１が示すように、第４形態の肌貼付用フィルム１０Ｄにおいて、狭域層１３は、粒子１４を含有している。狭域層１３が粒子１４を含有していること以外は、広域層１２および狭域層１３の構成は第２形態と同様である。また、転写シート３０Ｄは、肌貼付用フィルム１０Ｄと、第１形態と同様の構成を有する支持基材３１とを備えている。
【００７５】
粒子１４は、肌貼付用フィルム１０Ｄにおける機能を高める、もしくは、当該フィルムに機能を付加する機能性物質から構成される。例えば、粒子１４は、紫外線散乱剤、着色顔料や無機顔料、薬効成分を担持した樹脂粒子等である。狭域層１３は、厚膜部２１を構成して肌に接するため、狭域層１３が上記機能性物質から構成される粒子１４を含有していることで、肌貼付用フィルム１０Ｄから肌に対して作用する機能を高めることや、こうした機能の多様化が可能である。また、狭域層１３は厚膜部２１を構成するため、広域層１２よりも厚く形成することができる。したがって、広域層１２に粒子１４を含有させる場合と比較して、含有可能な粒子１４の種類や含有量の自由度が高められる。
【００７６】
なお、粒子１４の粒径は、狭域層１３における粒子１４を含有しない部分の厚さよりも小さくてもよいし、大きくてもよい。また、粒子１４は、図１１が示すように狭域層１３の表面に露出していてもよいし、露出していなくてもよい。
【００７７】
［第５形態］
第５形態の肌貼付用フィルム１０Ｅおよび転写シート３０Ｅについて、第３形態との相違点を中心に説明する。なお、第３形態と同様の構成については同じ符号を付してその説明を省略する。
【００７８】
図１２が示すように、第５形態の肌貼付用フィルム１０Ｅにおいて、狭域層１３は、粒子１４を含有している。狭域層１３が粒子１４を含有していること以外は、広域層１２および狭域層１３の構成は第３形態と同様である。また、転写シート３０Ｅは、肌貼付用フィルム１０Ｅと、第１形態と同様の構成を有する支持基材３１とを備えている。
【００７９】
粒子１４は、第３形態と同様、肌貼付用フィルム１０Ｅにおける機能を高める、もしくは、当該フィルムに機能を付加する機能性物質から構成される。狭域層１３が上記機能性物質から構成される粒子１４を含有していることで、肌貼付用フィルム１０Ｄから肌に対して作用する機能を高めることや、こうした機能の多様化が可能である。また、狭域層１３は厚膜部２１を構成するため、広域層１２よりも厚く形成することができる。したがって、広域層１２に粒子１４を含有させる場合と比較して、含有可能な粒子１４の種類や含有量の自由度が高められる。
【００８０】
なお、粒子１４の粒径は、狭域層１３における粒子１４を含有しない部分の厚さよりも小さくてもよいし、大きくてもよい。また、粒子１４は、図１２が示すように狭域層１３の表面に露出していてもよいし、露出していなくてもよい。狭域層１３における支持基材３１と接する面に粒子１４が露出している場合、当該面における粒子１４に起因した凹凸は、支持基材３１に埋まっていてもよいし、埋まっていなくてもよい。
【００８１】
［第６形態］
第６形態の肌貼付用フィルム１０Ｆおよび転写シート３０Ｆについて、第２形態との相違点を中心に説明する。なお、第２形態と同様の構成については同じ符号を付してその説明を省略する。
【００８２】
図１３が示すように、第６形態の肌貼付用フィルム１０Ｆにおいて、狭域層１３は、広域層１２と接する面とは反対側の面である凹凸形成面１３Ｕに、凹凸構造１５を有している。すなわち、肌貼付用フィルム１０Ｆは、第１面１１Ｆに凹凸構造１５を有している。図１３では、凹凸構造１５が、凹凸形成面１３Ｕにて突出する複数の凸部１５ａから構成される形態を例示しているが、凹凸構造１５は、凹凸形成面１３Ｕにて窪む複数の凹部から構成されてもよいし、上記凸部と上記凹部との組み合わせから構成されてもよい。
【００８３】
狭域層１３が凹凸構造１５を有していること以外は、広域層１２および狭域層１３の構成は第２形態と同様である。また、転写シート３０Ｆは、肌貼付用フィルム１０Ｆと、第１形態と同様の構成を有する支持基材３１とを備えている。
【００８４】
凹凸構造１５は、例えば、光の散乱機能を有する。すなわち、凹凸構造１５にて光が散乱する結果、肌貼付用フィルム１０Ｆの背後の像の輪郭がぼやけて見えるようになるため、肌貼付用フィルム１０Ｆを肌に貼り付けたときにシミやシワが目立ちにくくなる。また、凹凸構造１５にて光が散乱する結果、肌貼付用フィルム１０Ｆが光って見えること、言い換えれば、肌貼付用フィルム１０Ｆのテカリを抑えることができる。
【００８５】
また、凹凸構造１５に、皮膚の穿刺機能をもたせてもよい。すなわち、凸部１５ａを、針状のように皮膚を穿刺可能な形状とすることで、肌貼付用フィルム１０Ｆを肌に貼り付けたときに凸部１５ａが肌に刺さる。そして、例えば狭域層１３が有する美容成分や薬効成分、あるいは、肌に塗られた美容液等の美容成分や薬効成分が、凸部１５ａの穿刺により形成された孔から皮内に入る。これにより、美容成分や薬効成分の体内への浸透を促進させることができる。
凹凸構造１５を構成する凸部や凹部の形状、大きさ、配列のパターン、および、配列の周期は、凹凸構造１５に付与したい機能に応じて設定されればよい。
【００８６】
［第７形態］
第７形態の肌貼付用フィルム１０Ｇおよび転写シート３０Ｇについて、第３形態との相違点を中心に説明する。なお、第３形態と同様の構成については同じ符号を付してその説明を省略する。
【００８７】
図１４が示すように、第７形態の肌貼付用フィルム１０Ｇにおいて、狭域層１３は、広域層１２と接する面とは反対側の面である凹凸形成面１３Ｕに、凹凸構造１５を有している。すなわち、肌貼付用フィルム１０Ｇは、第２面１１Ｒに凹凸構造１５を有している。図１４では、凹凸構造１５が、凹凸形成面１３Ｕにて突出する複数の凸部１５ａから構成される形態を例示しているが、凹凸構造１５は、凹凸形成面１３Ｕにて窪む複数の凹部から構成されてもよいし、上記凸部と上記凹部との組み合わせから構成されてもよい。
【００８８】
狭域層１３が凹凸構造１５を有していること以外は、広域層１２および狭域層１３の構成は第３形態と同様である。また、転写シート３０Ｇは、肌貼付用フィルム１０Ｇと、第１形態と同様の構成を有する支持基材３１とを備えている。図１４においては、支持基材３１の表面が凹凸構造１５に沿った形状を有している形態、すなわち、凸部１５ａの間を支持基材３１が埋めている形態を例示しているが、凹凸構造１５は支持基材３１に埋まっていなくてもよい。
【００８９】
凹凸構造１５は、例えば、光の散乱機能を有する。すなわち、凹凸構造１５にて光が散乱する結果、肌貼付用フィルム１０Ｆの背後の像の輪郭がぼやけて見えるようになるため、肌貼付用フィルム１０Ｇを肌に貼り付けたときにシミやシワが目立ちにくくなる。
凹凸構造１５を構成する凸部や凹部の形状、大きさ、配列のパターン、および、配列の周期は、凹凸構造１５に付与したい機能に応じて設定されればよい。
【００９０】
［第８形態］
第８形態の肌貼付用フィルム１０Ｈおよび転写シート３０Ｈについて、第２形態との相違点を中心に説明する。なお、第２形態と同様の構成については同じ符号を付してその説明を省略する。
【００９１】
図１５が示すように、第８形態の肌貼付用フィルム１０Ｈにおいて、狭域層１３は、複数の膜片部１６から構成されている。複数の膜片部１６は、広域層１２上において、互いに離間して配置されている。平面視における膜片部１６の形状、大きさ、複数の膜片部１６の配列のパターンおよび配列の周期は特に限定されない。ただし、厚膜部２１における肌貼付用フィルム１０Ｈの強度が局所的に低下することを抑えるためには、互いに隣接する膜片部１６間の隙間の幅は、目視にて認識されにくい程度の大きさであることが好ましく、例えば、２００μｍ以下であることが好ましい。なお、図１５では、膜片部１６間の隙間の大きさを誇張して示している。
【００９２】
狭域層１３が複数の膜片部１６に分割されていること以外は、広域層１２および狭域層１３の構成は第２形態と同様である。また、転写シート３０Ｈは、肌貼付用フィルム１０Ｈと、第１形態と同様の構成を有する支持基材３１とを備えている。
【００９３】
狭域層１３が複数の膜片部１６に分割されていることによって、厚膜部２１の肌への追従性が高められるため、肌のツッパリ等の違和感を使用者が覚えることが抑えられる。こうした効果を高める観点では、第１面１１Ｆと対向する位置から見て、複数の膜片部１６は点状に配置されていることが好ましい。
【００９４】
なお、肌貼付用フィルム１０Ｈが肌に貼り付けられた状態において、広域層１２は、少なくとも環状領域ＯＲに位置する部分で肌に接すればよく、狭域層１３のうち、互いに隣接する膜片部１６の間で狭域層１３から露出している部分は、肌に接しなくてよい。
【００９５】
［第９形態］
第９形態の肌貼付用フィルム１０Ｉおよび転写シート３０Ｉについて、第３形態との相違点を中心に説明する。なお、第３形態と同様の構成については同じ符号を付してその説明を省略する。
【００９６】
図１６が示すように、第９形態の肌貼付用フィルム１０Ｉにおいて、狭域層１３は、複数の膜片部１６から構成されている。複数の膜片部１６は、支持基材３１上において、互いに離間して配置されている。平面視における膜片部１６の形状、大きさ、複数の膜片部１６の配列のパターンおよび配列の周期は特に限定されない。ただし、厚膜部２１における肌貼付用フィルム１０Ｈの強度が局所的に低下することを抑えるためには、互いに隣接する膜片部１６間の隙間の幅は、目視にて認識されにくい程度の大きさであることが好ましく、例えば、２００μｍ以下であることが好ましい。なお、図１６では、膜片部１６間の隙間の大きさを誇張して示している。
【００９７】
狭域層１３が複数の膜片部１６に分割されていること以外は、広域層１２および狭域層１３の構成は第３形態と同様である。また、転写シート３０Ｉは、肌貼付用フィルム１０Ｉと、第１形態と同様の構成を有する支持基材３１とを備えている。
狭域層１３が複数の膜片部１６に分割されていることによって、厚膜部２１の肌への追従性が高められるため、肌のツッパリ等の違和感を使用者が覚えることが抑えられる。
【００９８】
［第１０形態］
第１０形態の肌貼付用フィルム１０Ｊおよび転写シート３０Ｊについて、第２形態との相違点を中心に説明する。なお、第２形態と同様の構成については同じ符号を付してその説明を省略する。
【００９９】
図１７が示すように、第１０形態の肌貼付用フィルム１０Ｊは、広域層１２と狭域層１３との間に、中間層１７を備えている。中間層１７は、アンカー層としての機能、すなわち、肌貼付用フィルム１０Ｊを構成する層における層間の密着性を高める機能を有する。中間層１７は、少なくとも狭域層１３が位置する領域で、広域層１２と狭域層１３との間に挟まれていればよい。すなわち、第１面１１Ｆと対向する位置から見て、中間層１７は、少なくとも狭域層１３の全体と重なっていればよく、図１７が示すように、狭域層１３よりも大きくてもよい。肌貼付用フィルム１０Ｊのなかで、広域層１２と中間層１７と狭域層１３との三層構造を有する部分は、厚膜部２１を構成する。狭域層１３と中間層１７との二層構造を有する部分は、狭域層１３と中間層１７との厚さに応じて、薄膜部２０を構成していてもよいし、厚膜部２１を構成していてもよい。広域層１２のみが位置する部分は、薄膜部２０を構成する。
【０１００】
広域層１２と狭域層１３との間に中間層１７が挟まれていること以外は、広域層１２および狭域層１３の構成は第２形態と同様である。転写シート３０Ｊは、肌貼付用フィルム１０Ｊと、第１形態と同様の構成を有する支持基材３１とを備えている。
【０１０１】
第１０形態においては、広域層１２と狭域層１３とは、互いに異なる組成を有する。そして、中間層１７は、狭域層１３に対する広域層１２の密着性よりも、狭域層１３に対して高い密着性を有し、かつ、広域層１２に対する狭域層１３の密着性よりも、広域層１２に対して高い密着性を有するように、構成されている。例えば、広域層１２が、耐水性の高い樹脂から構成され、狭域層１３が、保湿効果の高い水溶性成分であるヒアルロン酸やコラーゲンを含有する場合、広域層１２と狭域層１３との密着性が低くなる場合がある。こうした場合に、中間層１７を、水溶性樹脂と疎水性樹脂との共重合体や、水溶性樹脂と疎水性樹脂とを混合した材料から構成することで、肌貼付用フィルム１０Ｊを構成する層における層間の密着性が高められる。
【０１０２】
なお、第３形態に、中間層１７を備える形態が適用されてもよい。すなわち、第１面１１Ｆから第２面１１Ｒに向かう方向に、広域層１２、狭域層１３がこの順に並ぶ形態において、広域層１２と狭域層１３との間に中間層１７が挟まれていてもよい。
【０１０３】
［第１１形態］
第１１形態の肌貼付用フィルム１０Ｋおよび転写シート３０Ｋについて、第２形態との相違点を中心に説明する。なお、第２形態と同様の構成については同じ符号を付してその説明を省略する。
【０１０４】
図１８が示すように、第１１形態の肌貼付用フィルム１０Ｋは、互いに異なる組成を有する端部構成部１８と中央構成部１９とを備えている。端部構成部１８と中央構成部１９とは、いずれも支持基材３１に接している。第１面１１Ｆと対向する位置から見て、端部構成部１８は、少なくとも環状領域ＯＲに位置し、中央構成部１９は、少なくとも中央領域ＣＲに位置する。端部構成部１８と中央構成部１９とは、これらの部分の端部において互いに接続されている。
【０１０５】
端部構成部１８と中央構成部１９とは、肌貼付用フィルム１０Ｋの広がる方向に沿った１つの平面内、換言すれば、支持基材３１の表面に沿った１つの平面内で互いに接している。具体的には、第２面１１Ｒ内において、端部構成部１８と中央構成部１９とは、互いに接している。すなわち、第２面１１Ｒは、端部構成部１８と中央構成部１９とから構成されている。そして、第２面１１Ｒの付近において、肌貼付用フィルム１０Ｋは、支持基材３１の表面に沿って延びる領域が部分的に異なる材料から構成された構造を有する。
【０１０６】
例えば、端部構成部１８の厚さはほぼ一定であり、端部構成部１８は、中央構成部１９との接続部を除く部分で薄膜部２０を構成している。また、中央構成部１９の厚さはほぼ一定であって、端部構成部１８よりも厚く、中央構成部１９は、厚膜部２１を構成している。
【０１０７】
転写シート３０Ｋは、肌貼付用フィルム１０Ｋと、第１形態と同様の構成を有する支持基材３１とを備えている。
端部構成部１８および中央構成部１９の材料としては、第１形態の肌貼付用フィルム１０Ａの材料として例示した材料が用いられる。第１１形態では、肌貼付用フィルム１０Ｋが、同一平面内で部分的に異なる材料から構成されるため、互いに異なる材料からなる層が厚さ方向に積層される形態と比較して、肌貼付用フィルム１０Ｋの通気性を高めやすい。すなわち、肌貼付用フィルム１０Ｋが貼り付けられている部分に、使用者が閉塞感を感じることが抑えられる。
【０１０８】
なお、端部構成部１８および中央構成部１９の各々の厚さは一定でなくてもよい。そして、端部構成部１８の一部は、厚膜部２１を構成してもよいし、中央構成部１９の一部は、薄膜部２０を構成してもよい。
【０１０９】
また、端部構成部１８および中央構成部１９は、支持基材３１から離れた平面内で互いに接していてもよく、要は、第２面１１Ｒに限らず、肌貼付用フィルム１０Ｋの広がる方向に沿った１つの平面内で端部構成部１８と中央構成部１９とが接していればよい。
【０１１０】
［第１２形態］
第１２形態の肌貼付用フィルム１０Ｌおよび転写シート３０Ｌについて、第１形態との相違点を中心に説明する。なお、第１形態と同様の構成については同じ符号を付してその説明を省略する。
【０１１１】
図１９が示すように、第１２形態の肌貼付用フィルム１０Ｌの厚さは、第１面１１Ｆと対向した位置から見た平面視における外縁から中央領域ＣＲにむけて、連続的に大きくなっている。言い換えれば、肌貼付用フィルム１０Ｌの厚さは、肌貼付用フィルム１０Ｌにおける最も薄い部分から最も厚い部分に向けて、連続的に大きくなっている。そして、中央領域ＣＲにて、肌貼付用フィルム１０Ｌは、支持基材３１に向けて突き出ている。すなわち、厚さ方向に沿った断面において、第２面１１Ｒは、支持基材３１に向けて突き出るように湾曲する曲線を構成し、第１面１１Ｆは、平坦な線を構成する。
【０１１２】
上記構成によれば、厚さの差に起因した段差が肌貼付用フィルム１０の第１面１１Ｆや第２面１１Ｒに形成されることが抑えられる。したがって、厚さの異なる部分の境界が視認されることが抑えられる。また、肌貼付用フィルム１０Ｌが肌に貼られているときに、段差に指等が引っ掛かることに起因して肌貼付用フィルム１０Ｌが破断することが抑えられる。
【０１１３】
肌貼付用フィルム１０Ｌの材料としては、第１形態の肌貼付用フィルム１０Ａの材料として例示した材料が用いられる。また、転写シート３０Ｌは、肌貼付用フィルム１０Ｌと、第１形態と同様の構成を有する支持基材３１とを備えている。図１９においては、支持基材３１が、肌貼付用フィルム１０Ｌの第２面１１Ｒに沿った表面形状を有する形態、すなわち、肌貼付用フィルム１０Ｌが支持基材３１に埋まっている形態を例示しているが、肌貼付用フィルム１０Ｌは支持基材３１に埋まっていなくてもよい。
【０１１４】
第１２形態のように、肌貼付用フィルム１０Ｌの厚さが連続的に変化する場合であっても、環状領域ＯＲ内の複数の対象領域ＴＳにて測定された肌貼付用フィルム１０Ｌの膜厚の平均値が０．０５μｍ以上０．３μｍ未満であれば、対象領域ＴＳが薄膜部２０に含まれると言える。また、中央領域ＣＲにて測定された肌貼付用フィルム１０Ｌの膜厚の平均値が０．３μｍ以上であれば、肌貼付用フィルム１０Ｌは厚膜部２１を有すると言える。
【０１１５】
なお、肌貼付用フィルム１０Ｌは、支持基材３１と反対側に突き出る形状を有していてもよいし、支持基材３１の位置する側と支持基材３１とは反対側との両方に突き出る形状を有していてもよい。換言すれば、厚さ方向に沿った断面において、第１面１１Ｆが湾曲し、第２面１１Ｒが平坦であってもよいし、第１面１１Ｆと第２面１１Ｒとの双方が湾曲していてもよい。
【０１１６】
［第１３形態］
第１３形態の肌貼付用フィルム１０Ｍおよび転写シート３０Ｍについて、第１形態との相違点を中心に説明する。なお、第１形態と同様の構成については同じ符号を付してその説明を省略する。
【０１１７】
図２０が示すように、第１３形態の肌貼付用フィルム１０Ｍの厚さは、第１面１１Ｆと対向した位置から見た平面視における外縁から中央領域ＣＲにむけて、多段階的に大きくなっている。言い換えれば、肌貼付用フィルム１０Ｍの厚さは、肌貼付用フィルム１０Ｍにおける最も薄い部分から最も厚い部分に向けて、多段階的に大きくなっている。そして、中央領域ＣＲにて、肌貼付用フィルム１０Ｍは、支持基材３１に向けて突き出ている。すなわち、厚さ方向に沿った断面において、第２面１１Ｒは、複数の段から構成される階段状を有し、第１面１１Ｆは、平坦な線を構成する。
【０１１８】
肌貼付用フィルム１０Ｍは、複数の層から構成されてもよい。複数の平坦な層の積層によって肌貼付用フィルム１０Ｍを形成する方法であれば、微細な段差を有する型を用いて肌貼付用フィルム１０Ｍを形成する方法と比較して、肌貼付用フィルム１０Ｍの形成が容易である。したがって、製造コストの低減も可能である。
【０１１９】
肌貼付用フィルム１０Ｍの材料としては、第１形態の肌貼付用フィルム１０Ａの材料として例示した材料が用いられる。また、転写シート３０Ｍは、肌貼付用フィルム１０Ｍと、第１形態と同様の構成を有する支持基材３１とを備えている。図２０においては、支持基材３１が、肌貼付用フィルム１０Ｍの第２面１１Ｒに沿った表面形状を有する形態、すなわち、肌貼付用フィルム１０Ｍにおける第２面１１Ｒの凹凸が支持基材３１に埋まっている形態を例示しているが、上記凹凸は支持基材３１に埋まっていなくてもよい。
【０１２０】
第１３形態のように、肌貼付用フィルム１０Ｍの厚さが多段階的に変化する場合であっても、環状領域ＯＲ内の複数の対象領域ＴＳにて測定された肌貼付用フィルム１０Ｌの膜厚の平均値が０．０５μｍ以上０．３μｍ未満であれば、対象領域ＴＳが薄膜部２０に含まれると言える。また、中央領域ＣＲにて測定された肌貼付用フィルム１０Ｍの膜厚の平均値が０．３μｍ以上であれば、肌貼付用フィルム１０Ｍは厚膜部２１を有すると言える。
【０１２１】
なお、肌貼付用フィルム１０Ｍは、支持基材３１と反対側に突き出る形状を有していてもよいし、支持基材３１の位置する側と支持基材３１とは反対側との両方に突き出る形状を有していてもよい。換言すれば、厚さ方向に沿った断面において、第１面１１Ｆが階段状を有し、第２面１１Ｒが平坦であってもよいし、第１面１１Ｆと第２面１１Ｒとの双方が階段状を有していてもよい。
【０１２２】
［転写シートの製造方法］
上述した肌貼付用フィルムおよび転写シートの製造方法を説明する。
肌貼付用フィルム１０の作製方法としては、押出し溶融法や溶液キャスト法等の薄膜形成方法が利用される。本実施形態のように薄い層やパターニングされた層の形成には、溶液キャスト法を用いることが適している。すなわち、肌貼付用フィルム１０の材料を溶剤に溶解あるいは分散させることにより塗液を生成した後、塗液を基材に塗布して塗膜を乾燥し、固化する。
【０１２３】
基材に塗液を塗布する方法としては、例えば、ダイレクトグラビア、リバースグラビア、小径リバースグラビア、マイヤーコート、ダイ、カーテン、スプレー、スピンコート、スクリーン印刷、コンマ、ナイフ、グラビアオフセット、ロールコート等の公知のコーティング方法が使用できる。
【０１２４】
形成される層の厚さは、塗液に含まれる固形分の割合と塗布方法とによって制御される。肌貼付用フィルム１０が複数の層から構成される場合、層ごとに、塗液の塗布と乾燥とが繰り返される。層を部分的に形成する場合、すなわち、パターニングされた層を形成する場合には、ダイレクトグラビア、スプレー、スクリーン印刷、グラビアオフセットの各コーティング方法が適している。
【０１２５】
成膜のための基材としては、支持基材３１が用いられてもよいし、支持基材３１とは異なる基材が用いられてもよい。
支持基材３１上に肌貼付用フィルム１０を成膜する場合、支持基材３１として、多孔質ではない基材であって、かつ、形成対象の肌貼付用フィルム１０の凹凸が反転された窪みを表面に有する基材を用いることで、支持基材３１を型として、部分的に厚さが異なる肌貼付用フィルム１０の形成が可能である。
【０１２６】
支持基材３１とは異なる基材上に肌貼付用フィルム１０を成膜する場合、成膜時の基材から支持基材３１上へ肌貼付用フィルム１０が転移されることによって、転写シートが形成される。支持基材３１が、軟質ウレタンからなる基材や不織布のように、柔軟性の高い基材である場合には、支持基材３１とは異なる基材上に形成された肌貼付用フィルム１０が、支持基材３１に転移されることが好ましい。成膜時の基材としては、平滑なオレフィンフィルムやポリエチレンテレフタレートフィルム等の樹脂基材が利用できる。
【０１２７】
平滑な基材上に部分的に厚さの異なる肌貼付用フィルム１０を形成する方法としては、上述のように、複数回の塗液の塗布を行って複数の層を形成する方法の他に、以下の方法が挙げられる。例えば、異なる基材上に形成した層を支持基材３１上に順に転写して積層する方法、スクリーン印刷等の印刷法にて用いる印刷版の網点濃度を段階的に変化させることにより塗液の塗布量を部分的に変化させる方法、乾燥時間を変化させて平滑化を進行させる方法である。
【０１２８】
支持基材３１に肌貼付用フィルム１０の凹凸が埋まっている形態は、上述のように支持基材３１を型として肌貼付用フィルム１０を形成する方法によって形成される。あるいは、支持基材３１として柔軟性の高い基材を用いる場合には、支持基材３１の表面が肌貼付用フィルム１０の表面形状に沿いやすいため、支持基材３１とは異なる基材上に形成された肌貼付用フィルム１０を支持基材３１に転移する方法によっても、支持基材３１に肌貼付用フィルム１０の凹凸が埋まっている形態を形成できる。
【０１２９】
また、肌貼付用フィルム１０が凹凸構造１５を有する場合、凹凸構造１５は、形成対象の凹凸が反転された凹凸を表面に有する版を用いて、当該版に塗液を充填する、あるいは、当該版を塗布形成された層の表面に押し付けることによって、形成できる。
【０１３０】
［他の形態］
上記第１形態〜第１３形態は、組み合わせて実施してもよい。例えば、第４形態と第８形態を組み合わせた場合、狭域層１３が、粒子１４を含み、かつ、複数の膜片部１６に分割された形態となる。
【０１３１】
第６形態や第７形態で例示したように、厚膜部２１の厚さは、厚膜部２１内で一定でなくてもよい。同様に、薄膜部２０の厚さは、薄膜部２０内で一定でなくてもよい。要は、環状領域ＯＲ内の複数の対象領域ＴＳにて測定された肌貼付用フィルム１０の膜厚の平均値が０．０５μｍ以上０．３μｍ未満であれば、対象領域ＴＳが薄膜部２０に含まれると言える。また、環状領域ＯＲの内側の領域である例えば中央領域ＣＲにて測定された肌貼付用フィルム１０の膜厚の平均値が０．３μｍ以上であれば、肌貼付用フィルム１０は厚膜部２１を有すると言える。こうした条件を満たしていれば、肌貼付用フィルム１０は、第１形態〜第１３形態とは異なる構造を有していてもよい。
【０１３２】
［実施例］
上述した肌貼付用フィルムおよび転写シートについて、具体的な実施例および比較例を用いて説明する。
【０１３３】
（実施例１）
実施例１として、第２形態に対応する肌貼付用フィルムおよび転写シートを形成した。
まず、ポリ-ＤＬ-乳酸を酢酸エチルに溶解させて塗液を生成した。ポリビニルアルコールによってコーティングされた表面を有するポリエチレンテレフタレートフィルムを支持基材として用い、支持基材上に、ダイレクトグラビア法で、上記塗液を直径６０ｍｍの円形のパターンに塗布した。塗膜を熱風乾燥して、平均厚さが０．０５μｍである広域層を形成した。
【０１３４】
続いて、広域層上に、ダイレクトグラビア法で、上記塗液を、広域層と中心を合わせて直径５８ｍｍの円形のパターンに塗布した。塗膜を熱風乾燥して、平均厚さが０．３μｍである狭域層を形成した。これにより、支持基材上に、広域層、狭域層がこの順に積層された実施例１の転写シートを得た。実施例１の転写シートは、平面視にて幅が１ｍｍの環状の薄膜部を端部に有するとともに、平面視にて直径５８ｍｍの円形状の厚膜部を中央部に有する。
【０１３５】
（実施例２）
実施例２として、第３形態に対応する肌貼付用フィルムおよび転写シートを形成した。
まず、ポリ-ＤＬ-乳酸を酢酸エチルに溶解させて塗液を生成した。シリコーンからなる離型層を表面に有するポリエチレンテレフタレートフィルムを基材として用い、幅が３００ｍｍの当該基材の全面に、マイクログラビア法で、上記塗液を塗布した。塗膜を熱風乾燥して、平均厚さが０．２μｍである広域層を形成した。
【０１３６】
続いて、広域層上に、スクリーン印刷法で、ヒアルロン酸水溶液を、直径５０ｍｍの円形のパターンに塗布した。塗膜を熱風乾燥して、平均厚さが１．０μｍである狭域層を形成した。そして、広域層と狭域層とからなる積層体を、支持基材としての不織布上へ転移させた。支持基材と狭域層と広域層とからなる積層体を、狭域層の中心を中心として、直径６０ｍｍの円形状に型抜きした。これにより、支持基材上に、狭域層、広域層がこの順に積層された実施例２の転写シートを得た。実施例２の転写シートは、平面視にて幅が５ｍｍの環状の薄膜部を端部に有するとともに、平面視にて直径５０ｍｍの円形状の厚膜部を中央部に有する。
【０１３７】
（比較例１）
ポリ-ＤＬ-乳酸を酢酸エチルに溶解させて塗液を生成した。シリコーンからなる離型層を表面に有するポリエチレンテレフタレートフィルムを基材として用い、当該基材上に、マイクログラビア法で上記塗液を塗布した。塗膜を熱風乾燥して、平均厚さが０．２μｍであるポリ乳酸層を形成した。ポリ乳酸層を、支持基材としての不織布上へ転移させ、直径６０ｍｍの円形状に型抜きして、比較例１の転写シートを得た。比較例１の転写シートが備える上記ポリ乳酸層である肌貼付用フィルムは、厚膜部を有していない。
【０１３８】
（比較例２）
ポリ-ＤＬ-乳酸を酢酸エチルに溶解させて塗液を生成した。シリコーンからなる離型層を表面に有するポリエチレンテレフタレートフィルムを基材として用い、当該基材上に、マイクログラビア法で上記塗液を塗布した。塗膜を熱風乾燥して、平均厚さが０．６μｍであるポリ乳酸層を形成した。ポリ乳酸層を、支持基材としての不織布上へ転移させ、直径６０ｍｍの円形状に型抜きして、比較例２の転写シートを得た。比較例２の転写シートが備える上記ポリ乳酸層である肌貼付用フィルムは、薄膜部を有していない。
【０１３９】
（比較例３）
ポリ-ＤＬ-乳酸を酢酸エチルに溶解させて塗液を生成した。ポリビニルアルコールによってコーティングされた表面を有するポリエチレンテレフタレートフィルムを支持基材として用い、支持基材上に、ダイレクトグラビア法で、上記塗液を直径６０ｍｍの円形のパターンに塗布した。塗膜を熱風乾燥して、平均厚さが０．１μｍであるポリ乳酸層を形成した。
【０１４０】
続いて、上記ポリ乳酸層上に、ダイレクトグラビア法で、上記塗液を、ポリ乳酸層と中心を合わせて直径５８ｍｍの円形のパターンに塗布した。塗膜を熱風乾燥して、平均厚さが０．０５μｍであるポリ乳酸層を形成した。これにより、支持基材上に、二層のポリ乳酸層からなる肌貼付用フィルムを備える比較例３の転写シートを得た。比較例３の肌貼付用フィルムは、厚膜部を有していない。
【０１４１】
（比較例４）
ポリ-ＤＬ-乳酸を酢酸エチルに溶解させて塗液を生成した。シリコーンからなる離型層を表面に有するポリエチレンテレフタレートフィルムを基材として用い、当該基材の全面に、マイクログラビア法で、上記塗液を塗布した。塗膜を熱風乾燥して、平均厚さが０．２μｍであるポリ乳酸層を形成した。
【０１４２】
続いて、上記ポリ乳酸層の全面に、マイクログラビア法で、ヒアルロン酸水溶液を塗布した。塗膜を熱風乾燥して、平均厚さが１．０μｍであるヒアルロン酸層を形成した。そして、ポリ乳酸層とヒアルロン酸層とからなる積層体を、支持基材としての不織布上へ転移させ、直径６０ｍｍの円形状に型抜きした。これにより、支持基材上に、ヒアルロン酸層、ポリ乳酸層がこの順に積層された比較例４の転写シートを得た。比較例４の肌貼付用フィルムは、薄膜部を有していない。
【０１４３】
（評価方法）
＜密着性＞
腕を水で濡らし、各実施例および比較例の転写シートを、肌貼付用フィルムが腕と接するように貼った後、静かに支持基材を取り除くことにより、肌貼付用フィルムを腕に貼り付けた。貼り付けられた肌貼付用フィルムの端部を指で擦り、端部にてフィルムの剥がれが起きなかった場合を「〇」とし、剥がれが起きた場合を「×」とした。
【０１４４】
＜破断強度＞
各実施例および比較例について、肌貼付用フィルムの破れにくさの指標として、破断強度を測定した。破断強度は、フィルムの破断に要する最小の力であり、下記の方法によって測定される。転写シートから、支持基材を取り除き、平面視にて直径６ｍｍの円形状の肌貼付用フィルムを得る。卓上圧縮・引張試験機（島津製作所社製：ＥＺ−Ｔｅｓｔ、ロードセル：１００Ｎ）に試料として上記肌貼付用フィルムを配置し、直径３ｍｍの円柱圧子を圧縮速度１０ｍｍ／ｍｉｎで試料に差し込む。試料が破断したときの強度（ｍＮ）を測定し、得られた値を破断強度とする。破断強度が５０ｍＮ以上であれば、日常での使用に耐え得る膜強度を肌貼付用フィルムが有していると言える。したがって、破断強度が５０ｍＮ以上の場合を「〇」とし、破断強度が５０ｍＮ未満の場合「×」とした。破断強度が大きいことは、耐擦性が高いことを示す。
【０１４５】
（評価結果）
表１に、各実施例および比較例について、密着性と破断強度との評価結果を示す。
【０１４６】
【表１】
2020074847.tif 000003
【０１４７】
表１が示すように、端部に薄膜部を有し、中央部に厚膜部を有する実施例１，２は、密着性が良好であるとともに、破断強度も良好であった。一方、薄膜部のみを有する比較例１，３は、密着性は良好であるものの、破断強度が小さかった。また、厚膜部のみを有する実施例２，４は、破断強度は良好であるものの、密着性が弱かった。
【０１４８】
このように、端部に薄膜部を有し、中央部に厚膜部を有する実施例１，２であれば、薄膜に付随した肌に対する密着性と、厚膜に付随した機能性との両立が可能であることが示された。
【０１４９】
以上、実施形態および実施例にて説明したように、肌貼付用フィルムおよび転写シートによれば、以下に列挙する効果を得ることができる。
（１）肌貼付用フィルム１０が、薄膜部２０と厚膜部２１とを有し、環状領域ＯＲ内でその周方向に沿って並ぶ複数の対象領域ＴＳが、薄膜部２０に含まれる。こうした構成によれば、薄膜部２０が位置する肌貼付用フィルム１０の端部では、肌貼付用フィルム１０が薄いため、肌との密着性が高められる。一方、厚膜部２１では、保湿性、紫外線遮断性、装飾性、耐擦性といった特性の向上が可能である。したがって、肌貼付用フィルム１０を肌に貼り付けたときに、当該フィルムが端部から剥がれることを抑えつつ、上記特性を良好に得ることができる。すなわち、薄膜に付随した肌に対する密着性と、厚膜に付随した機能性との両立が可能となる。
【０１５０】
（２）肌貼付用フィルム１０の表面と対向する位置から見て、薄膜部２０が肌貼付用フィルム１０の外縁に沿った環状を有し、薄膜部２０の幅が１ｍｍ以上である形態であれば、肌貼付用フィルム１０の端部において、その周方向の全域で肌との密着性が高められる。したがって、肌貼付用フィルム１０を肌に貼り付けた場合に、肌貼付用フィルム１０が剥がれ難くなる。
【０１５１】
（３）肌貼付用フィルム１０が、肌貼付用フィルム１０の全体に広がる広域層１２と、肌貼付用フィルム１０の一部に位置する狭域層１３とを備え、厚膜部２１が、広域層１２と狭域層１３とを含む複数の層から構成される形態であれば、複数の層の積層によって、厚さが部分的に異なる肌貼付用フィルム１０が容易かつ的確に実現される。
【０１５２】
（４）広域層１２と狭域層１３との組成が異なる形態であれば、広域層１２を、端部で肌と密着する機能に適した材料から構成し、狭域層１３を、厚膜に付随する機能をより高める材料から構成することができる。したがって、各層の機能をより高めることができる。
【０１５３】
（５）肌貼付用フィルム１０の第２面１１Ｒから第１面１１Ｆに向かう方向に、広域層１２、狭域層１３がこの順に並ぶ形態であれば、肌貼付用フィルム１０が肌に貼り付けられたときに、広域層１２が狭域層１３を覆う。したがって、狭域層１３が広域層１２によって保護されるため、狭域層１３が露出されている形態と比較して、指等の接触に起因して広域層１２と狭域層１３とが剥離することが抑えられる。
【０１５４】
（６）肌貼付用フィルム１０の第１面１１Ｆから第２面１１Ｒに向かう方向に、広域層１２、狭域層１３がこの順に並ぶ形態であれば、肌貼付用フィルム１０が肌に貼り付けられたときに、広域層１２の全面が肌に接するため、肌貼付用フィルム１０と肌との間に隙間が形成されにくい。
【０１５５】
（７）狭域層１３が粒子１４を含む形態であれば、粒子の特性に応じて、肌貼付用フィルム１０から肌に対して作用する機能を高めることや、こうした機能の多様化が可能である。また、狭域層１３は厚膜部２１を構成するため、広域層１２よりも厚く形成することができる。したがって、広域層１２に粒子１４を含有させる場合と比較して、含有可能な粒子１４の種類や含有量の自由度が高められる。
【０１５６】
（８）狭域層１３が、広域層１２から遠い方の面に、凹凸構造１５を有する形態であれば、凹凸構造１５に起因した光の散乱によって肌のシミ等を目立ちにくくする効果や、凹凸構造１５に皮膚を穿刺させて各種の成分を皮内に浸透させる効果を得ることができる。
【０１５７】
（９）狭域層１３が、広域層１２に沿った平面上に離間して並ぶ複数の膜片部１６から構成される形態であれば、厚膜部２１の肌への追従性が高められるため、肌のツッパリ等の違和感を使用者が覚えることが抑えられる。
【０１５８】
（１０）広域層１２と狭域層１３との間に、アンカー層として機能する中間層１７を備える形態であれば、肌貼付用フィルム１０を構成する層間の密着性が高められる。
【０１５９】
（１１）肌貼付用フィルム１０が、互いに異なる組成を有し、かつ、肌貼付用フィルム１０の広がる方向に沿った１つの平面上において互いに接する端部構成部１８と中央構成部１９とを備える形態であれば、互いに異なる材料からなる層が厚さ方向に積層される形態と比較して、肌貼付用フィルム１０の通気性を高めやすい。したがって、肌貼付用フィルム１０が貼り付けられている部分に、使用者が閉塞感を感じることが抑えられる。
【０１６０】
（１２）肌貼付用フィルム１０の厚さが、薄膜部２０の最も薄い部分から、厚膜部２１の最も厚い部分に向けて、連続的に変化する形態であれば、厚さの差に起因した段差が肌貼付用フィルムの表面や裏面に形成されることが抑えられる。したがって、厚さの異なる部分の境界が視認されることが抑えられる。また、上記段差に指等が引っ掛かることに起因して肌貼付用フィルム１０が破断することが抑えられる。
【０１６１】
（１３）肌貼付用フィルム１０の厚さが、薄膜部２０の最も薄い部分から、厚膜部２１の最も厚い部分に向けて、多段階的に変化する形態であれば、複数の平坦な層に積層によって肌貼付用フィルム１０を形成することが可能である。したがって、厚さが連続的に変化する形態と比較して、肌貼付用フィルム１０の形成が容易である。
【符号の説明】
【０１６２】
ＣＲ…中央領域、ＯＲ…環状領域、ＴＳ…対象領域、１０，１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ…肌貼付用フィルム、１１Ｆ…第１面、１１Ｒ…第２面、１２…広域層、１３…狭域層、１４…粒子、１５…凹凸構造、１６…膜片部、１７…中間層、１８…端部構成部、１９…中央構成部、２０…薄膜部、２１…厚膜部、３０Ａ，３０Ｂ，３０Ｃ，３０Ｄ，３０Ｅ，３０Ｆ，３０Ｇ，３０Ｈ，３０Ｉ，３０Ｊ，３０Ｋ，３０Ｌ，３０Ｍ…転写シート、３１…支持基材。
【図１】
2020074847.tif 000004
【図２】
2020074847.tif 000005
【図３】
2020074847.tif 000006
【図４】
2020074847.tif 000007
【図５】
2020074847.tif 000008
【図６】
2020074847.tif 000009
【図７】
2020074847.tif 000010
【図８】
2020074847.tif 000011
【図９】
2020074847.tif 000012
【図１０】
2020074847.tif 000013
【図１１】
2020074847.tif 000014
【図１２】
2020074847.tif 000015
【図１３】
2020074847.tif 000016
【図１４】
2020074847.tif 000017
【図１５】
2020074847.tif 000018
【図１６】
2020074847.tif 000019
【図１７】
2020074847.tif 000020
【図１８】
2020074847.tif 000021
【図１９】
2020074847.tif 000022
【図２０】
2020074847.tif 000023